(57)【要約】【課題】  固相抽出カートリッジを容器に安定して固定することができる安価なカートリッジ固定用具を提供する。【解決手段】  吸着材が充填された固相抽出カートリッジ１０に分析対象となる試料を流し、この試料中の特定物質を吸着材に吸着させた後に、固相抽出カートリッジ１０に溶媒を流して、吸着材から溶媒に特定物質を溶出させた溶出液を回収する際に、この溶出液を回収する試験管２０に固相抽出カートリッジ１０を固定するためのキャップ１であって、試験管２０の口頸部２０ａに被せるキャップ本体２と、キャップ本体２の天井部２ａに固相抽出カートリッジ１０のノズル１０ｃを差し込む差込み孔３とを有し、差込み孔３にノズル１０ｃが差し込まれた固相抽出カートリッジ１０を起立した状態で保持する。【選択図】  図２
2006329940.tif 000002
【特許請求の範囲】
【請求項１】
吸着材が充填された固相抽出カートリッジに分析対象となる試料を流し、この試料中の特定物質を前記吸着材に吸着させた後に、前記固相抽出カートリッジに溶媒を流して、前記吸着材から前記溶媒に前記特定物質を溶出させた溶出液を回収する際に、この溶出液を回収する容器に前記固相抽出カートリッジを固定するためのカートリッジ固定用具であって、
前記容器の口頸部に被せるキャップ本体と、前記キャップ本体の天井部に前記固相抽出カートリッジのノズルを差し込む孔部とを有し、
前記孔部に前記ノズルが差し込まれた固相抽出カートリッジを起立した状態で保持することを特徴とするカートリッジ固定用具。
【請求項２】
前記孔部が複数設けられていることを特徴とする請求項１に記載のカートリッジ固定用具。
【請求項３】
前記キャップ本体の天井部に空気を通す通気孔を有することを特徴とする請求項１又は２に記載のカートリッジ固定用具。
【請求項４】
前記キャップ本体が弾性変形可能な樹脂からなることを特徴とする請求項１乃至３の何れか一項に記載のカートリッジ固定用具。
【発明の詳細な説明】
【技術分野】
【０００１】
本発明は、固相抽出カートリッジを容器に固定するためのカートリッジ固定用具に関する。
【背景技術】
【０００２】
従来、液中からの特定物質の抽出には、液−液抽出法が多く用いられてきたが、作業が繁雑で時間と経験を要すること、溶媒を多量に使用することなどの問題があった。このため、現在では、作業が簡単で溶媒の使用量も少なく、自動化により大量の試料を処理することができる固相抽出法が用いられるようになっている（例えば特許文献１を参照。）。
【０００３】
この固相抽出法では、吸着材が充填された固相抽出カートリッジが用いられ、この固相抽出カートリッジに大気ガスや水道水などの分析対象となる試料を流し、試料中の特定物質を吸着材に吸着させた後に、固相抽出カートリッジに溶媒を流して、吸着材から溶媒に特定物質を溶出させた溶出液を回収（抽出）する。
【０００４】
ところで、このような操作を行う際には、溶出液を回収する試験管などの容器に固相抽出カートリッジを固定する固定用具があると便利であるが、従来、固相抽出カートリッジを試験管に固定するための専用の固定用具などはなく、例えば大きさの異なる試験管の内径に合わせて段差が設けられた治具などを代用している。
【０００５】
しかしながら、このような治具は、試験管の口に置くだけのものなので、固相抽出カートリッジを試験管に安定して固定することはできない。さらに、固相抽出カートリッジの上にシリンダを装着した場合には、このシリンダに溶媒を入れると更に重心が高くなるために、非常に倒れ易くなる。
【特許文献１】実開平６−８２５６７号公報
【発明の開示】
【発明が解決しようとする課題】
【０００６】
本発明は、かかる状況に鑑みてなされたものであり、固相抽出カートリッジを容器に安定して固定することができる安価なカートリッジ固定用具を提供することを目的とする。
【課題を解決するための手段】
【０００７】
本発明は、以下の手段を提供する。
（１）  吸着材が充填された固相抽出カートリッジに分析対象となる試料を流し、この試料中の特定物質を前記吸着材に吸着させた後に、前記固相抽出カートリッジに溶媒を流して、前記吸着材から前記溶媒に前記特定物質を溶出させた溶出液を回収する際に、この溶出液を回収する容器に前記固相抽出カートリッジを固定するためのカートリッジ固定用具であって、前記容器の口頸部に被せるキャップ本体と、前記キャップ本体の天井部に前記固相抽出カートリッジのノズルを差し込む孔部とを有し、前記孔部に前記ノズルが差し込まれた固相抽出カートリッジを起立した状態で保持することを特徴とするカートリッジ固定用具。
（２）  前記孔部が複数設けられていることを特徴とする前項（１）に記載のカートリッジ固定用具。
（３）  前記キャップ本体の天井部に空気を通す通気孔を有することを特徴とする前項（１）又は（２）に記載のカートリッジ固定用具。
（４）  前記キャップ本体が弾性変形可能な樹脂からなることを特徴とする前項（１）乃至（３）の何れか一項に記載のカートリッジ固定用具。
【発明の効果】
【０００８】
以上のように、本発明によれば、固相抽出カートリッジのノズルをキャップ本体の孔部に差し込むことによって、固相抽出カートリッジの起立した状態を保持しながら、この固相抽出カートリッジを容器に安定して固定することができる。
また、本発明に係るカートリッジ固定用具は、キャップ本体が弾性変形可能な樹脂からなることから、キャップ本体を容器の口頸部に簡単に装着することができ、容器への不純物等の混入も防ぐことができる。
さら、本発明に係るカートリッジ固定用具は、非常に簡便な構造を有しているため、安価である。
【発明を実施するための最良の形態】
【０００９】
以下、本発明を適用したカートリッジ固定用具について、図面を参照して詳細に説明する。
例えば、大気ガスや水道水などの分析対象となる試料中の特定物質を固相抽出法により精製したり、濃縮したりするための前処理装置としては、図１及び図２に示すような分析対象試料中の特定物質を吸着させた後に溶媒を流すことによって溶媒に特定物質を溶出させる固相抽出カートリッジ１０と、この固相抽出カートリッジ１０から溶出された溶出液を回収する容器となる試験管２０と、固相抽出カートリッジに流す溶媒を収容するシリンダ３０とが用いられる。
【００１０】
固相抽出カートリッジ１０は、吸着材１１が充填された略円筒状のカートリッジ本体１０ａを備えており、このカートリッジ本体１０ａの長手方向の両端部には、それぞれノズル１０ｂ，１０ｃが設けられている。このうち、図２中に示す上部側のメス型ノズル１０ｂには、シリンダ３０のノズル３０ａが差し込まれ、図２中に示す下部側のオス型ノズル１０ｃは、後述するキャップ１の差込み孔３に差し込まれることになる。また、試験管２０は、例えば試験管立て４０に起立した状態で保持されている。
【００１１】
吸着材１１としては、例えば官能基を導入したシリカゲル粒子や、スチレン−ジビニルベンゼン共重合体などのポリマー粒子、活性炭やカーボングラファイトのような炭素粒子などがあり、用途に応じて適宜選択して使用することができる。また、特定物質を含んだ溶出液の精製や濃縮に用いられる溶媒についても、その抽出する特定物質に合わせて任意のものを使用することができる。
【００１２】
以上のような前処理装置を用いて固相抽出法により特定物質を含んだ溶出液を抽出する際には、先ず、固相抽出カートリッジ１０のノズル１０ｃ側（或いはノズル１０ｂ側）から分析対象となる気体又は液体の試料を流することによって、この試料中の特定物質を吸着材１１に吸着させる。その後に、固相抽出カートリッジ１０のノズル１０ｂ側からシリンダ３０に収容された溶媒を流すことによって、吸着材１１から溶媒に特定物質を溶出させる。この溶出させた溶出液は、固相抽出カートリッジ１０のノズル１０ｃ側から排出されて、その下にある試験管２０へと回収される。
【００１３】
ところで、上記前処理装置では、固相抽出カートリッジ１０を試験管２０に固定するために、本発明を適用したカートリッジ固定用具が用いられている。具体的に、本発明を適用したカートリッジ固定用具は、例えば図３及び図４に示すようなキャップ１であり、このキャップ１は、試験管２０の口頸部２０ａに被せるキャップ本体２を備えている。
【００１４】
キャップ本体２は、試験管２０の口頸部２０ａに固定されるよう弾性変形可能な材料からなることが好ましく、そのような材料として、例えば樹脂やエラストマー等を用いることができる。また、具体的な材料として、例えばポリエチレンや、ポリプロピレン、ポリエステル、熱可塑性エラストマー、ゴム等を挙げることができる。
【００１５】
キャップ本体２は、試験管２０の開口を塞ぐ略円盤状の天井部２ａと、この天井部２ａの周囲から下方に向かって立ち上がり形成された略円筒状の外側周壁２ｂと、この外側周壁２ｂの内側から下方に向かって立ち上がり形成された略円筒状の内側周壁２ｃとから構成されている。
【００１６】
このキャップ本体２は、外側周壁２ｂと内側周壁２ｃとの間に試験管２０の口頸部２０ａを嵌め込むことによって、試験管２０の口頸部２０ａに容易に被せることができる。さらに、このキャップ本体２は、内側周壁２ｃの内側に試験管２０の口頸部２０ａを嵌め込むことによって、上記試験管よりも小径の試験管２０の口頸部２０ａに被せることもできる。
【００１７】
また、キャップ本体２には、外周周壁２ｂの一部が外側に向かって突出された鍔部２ｄを設けることもできる。この鍔部２ｄは、試験管２０の口頸部２０ａからキャップ１を取り外し易くするためのものである。
【００１８】
本発明を適用したキャップ１は、このようなキャップ本体２の天井部２ａに、固相抽出カートリッジ１０のノズル１０ｃを差し込むための差込み孔３を有している。この差込み孔３は、天井部２ａを貫通する孔部であり、固相抽出カートリッジ１０のノズル１０ｃの外径に対応した内径を有している。また、差込み孔３は、固相抽出カートリッジ１０を安定して保持するため、キャップ本体２の中心部に設けることが好ましい。
【００１９】
本発明では、キャップ本体２の差込み孔３に固相抽出カートリッジ１０のノズル１０ｃを差し込むことによって、固相抽出カートリッジ１０をキャップ本体２の天井部２ａに起立した状態で保持することができる。
したがって、このようなキャップ１を用いることによって、固相抽出カートリッジ１０を試験管２０に安定して固定することができる。
さらに、固相抽出カートリッジ１０の上に溶媒を入れたシリンダ３０が装着された場合でも倒れにくいため、作業性に優れたものとなる。
また、本発明を適用したキャップ１は、試験管２０の口頸部２０ａに簡単に装着することができ、試験管２０への不純物等の混入も防ぐことができる。
さらに、このキャップ１は、非常に簡便な構造を有していため、安価である。
【００２０】
なお、本発明を適用したキャップ１は、上記差し込み孔３をキャップ本体２の中心部に設けた構成に必ずしも限定されるものではなく、場合によっては差し込み孔３をキャップ本体２の中心部からずれた位置に設けた構成としてもよい。
【００２１】
また、本発明を適用したキャップ１において、上記差込み孔３の形状は、丸形となっているが、このような形状に必ずしも限定されるものではなく、例えば図５Ａに示すような角形（具体的に、図５Ａでは四角形）であってもよい。この場合、固相抽出カートリッジ１０のノズル１０ｃを角形の差込み孔３に差し込むことによって、この差込み孔３とノズル１０ｃとの間にできる隙間が空気を通す通気孔として機能することになる。
【００２２】
また、本発明を適用したキャップ１では、例えば図５Ｂに示すように、キャップ本体２の天井部２ａに上記差込み孔３の他に、空気を通すための通気孔４を設けた構成とすることもできる。この通気孔４は、例えば上記差込み孔３よりも小さく、天井部２ａの中心部からずれた位置に設けられている。
【００２３】
また、本発明を適用したキャップ１では、例えば図５Ｃに示すように、キャップ本体２の天井部２ａに上記差込み孔３を複数設けた構成とすることもできる。この場合、複数の差込み孔３の大きさを異ならせることで、異なるノズル径を持った固相抽出カートリッジ１０に対応することができる。
【図面の簡単な説明】
【００２４】
【図１】図１は、固相抽出法を用いた前処理装置の構成を示す分解斜視図である。
【図２】図２は、図１に示す前処理装置を用いた固相抽出法を説明するための斜視図である。
【図３】図３は、本発明を適用したキャップを表側から見た斜視図である。
【図４】図４は、本発明を適用したキャップを裏側から見た斜視図である。
【図５】図５は、本発明を適用したキャップの変形例を示す斜視図である。
【符号の説明】
【００２５】
１…キャップ（カートリッジ固定用具）  ２…キャップ本体  ２ａ…天井部  ２ｂ…外側周壁  ２ｃ…内側周壁  ２ｄ…鍔部  ３…差込み孔（孔部）  ４…通気孔  １０…固相抽出カートリッジ  １０ａ…カートリッジ本体  １０ｂ，１０ｃ…ノズル  １１…吸着材  ２０…試験管（容器）  ３０…シリンダ  ４０…試験管立て
【図１】
2006329940.tif 000003
【図２】
2006329940.tif 000004
【図３】
2006329940.tif 000005
【図４】
2006329940.tif 000006
【図５】
2006329940.tif 000007